(57)【要約】    【課題】  小型で、廉価で而も信号ロスの少ない電力分配器を提供する。    【解決手段】  配線基板２２の上面に回路信号線７を形成し、前記配線基板の下面の少なくとも前記回路信号線を覆う部分にグランド面２５を形成し、前記回路信号線を覆い該回路信号線の入力ポート１２、出力ポート１３，１４、終端ポート１５が露出する様に上基板２３を前記配線基板に重合させ、前記上基板の上面の少なくとも前記回路信号線を覆う部分にグランド面２６を形成し、前記配線基板、前記上基板を貫通させ導通部材２４，２９を設け、該導通部材により前記配線基板のグランド面と前記上基板のグランド面とを導通させた。    【選択図】          図１
2005236478.tif 000002
【特許請求の範囲】
【請求項１】
配線基板の上面に回路信号線を形成し、前記配線基板の下面の少なくとも前記回路信号線を覆う部分にグランド面を形成し、前記回路信号線を覆い該回路信号線の入力ポート、出力ポート、終端ポートが露出する様に上基板を前記配線基板に重合させ、前記上基板の上面の少なくとも前記回路信号線を覆う部分にグランド面を形成し、前記配線基板、前記上基板を貫通させ導通部材を設け、該導通部材により前記配線基板のグランド面と前記上基板のグランド面とを導通させたことを特徴とする電力分配器。
【発明の詳細な説明】
【技術分野】
【０００１】
本発明は、マイクロ波帯域で使用する電力分配器に関するものである。
【背景技術】
【０００２】
従来、よく使用されている電力分配器、例えば３ｄＢ用電力分配器としては、図３に示されるものがある。
【０００３】
電力分配器１は９０°Ｈｙｂｒｉｄ（Ｂｒａｎｃｈ−Ｌｉｎｅ  Ｃｏｕｐｌｅｒ）回路構成を有している。
【０００４】
矩形枠体に形成された金属製（アルミ製）のケース２内には上下２枚の下基板３、上基板４が収納され、前記下基板３、上基板４は重合した状態で下蓋５、上蓋６によって挾持される。前記下基板３、上基板４のいずれか一方の重合面には図４で示される９０°Ｈｙｂｒｉｄの回路信号線７が形成されており、前記下基板３、上基板４の非重合面には全面にグランド面として金属箔例えば銅箔が形成され、グランド面は前記下蓋５、前記上蓋６に密着する様になっている。前記回路信号線７の矩形の一辺は入力されるマイクロ波の１／４の長さとなっている。
【０００５】
前記ケース２には同軸ケーブルコネクタ８，９，１０，１１が設けられ、該同軸ケーブルコネクタ８は入力部、前記同軸ケーブルコネクタ９，１０は出力部、前記同軸ケーブルコネクタ１１は終端器に接続される様になっており、前記同軸ケーブルコネクタ８は前記回路信号線７の入力ポート１２に、前記同軸ケーブルコネクタ９，１０は前記回路信号線７の出力ポート１３，１４、前記同軸ケーブルコネクタ１１は前記回路信号線７の終端ポート１５にそれぞれ接続されている。
【０００６】
而して、前記回路信号線７は絶縁体を挾んで上下両側からグランド面で挾まれ、伝送路の遮蔽がなされた、ストリップライン（トリプレート）構造となっている。
【０００７】
上記電力分配器１で、前記同軸ケーブルコネクタ８を介して信号が入力されると、前記同軸ケーブルコネクタ９，１０を介して分配された信号が出力される。
【０００８】
上記した電力分配器では、前記下基板３、前記上基板４を収納するケースが必要であり、又信号の入出力がコネクタを介して行われる為、電力分配器自体大型となると共に接続される相手方もコネクタを必要とし、部品点数が増えると共に電力分配器１及び該電力分配器を取付ける為の専有面積が大きくなる。
【０００９】
又、上記電力分配器では回路信号線７に対する入出力をコネクタを介して行っている為、回路信号線７からコネクタ、更に相手側の接続回路への接続過程で変換ロスが生じてしまう。
【発明の開示】
【発明が解決しようとする課題】
【００１０】
本発明は斯かる実情に鑑み、小型で、廉価で而も信号ロスの少ない電力分配器を提供するものである。
【課題を解決するための手段】
【００１１】
本発明は、配線基板の上面に回路信号線を形成し、前記配線基板の下面の少なくとも前記回路信号線を覆う部分にグランド面を形成し、前記回路信号線を覆い該回路信号線の入力ポート、出力ポート、終端ポートが露出する様に上基板を前記配線基板に重合させ、前記上基板の上面の少なくとも前記回路信号線を覆う部分にグランド面を形成し、前記配線基板、前記上基板を貫通させ導通部材を設け、該導通部材により前記配線基板のグランド面と前記上基板のグランド面とを導通させた電力分配器に係るものである。
【発明の効果】
【００１２】
本発明によれば、配線基板の上面に回路信号線を形成し、前記配線基板の下面の少なくとも前記回路信号線を覆う部分にグランド面を形成し、前記回路信号線を覆い該回路信号線の入力ポート、出力ポート、終端ポートが露出する様に上基板を前記配線基板に重合させ、前記上基板の上面の少なくとも前記回路信号線を覆う部分にグランド面を形成し、前記配線基板、前記上基板を貫通させ導通部材を設け、該導通部材により前記配線基板のグランド面と前記上基板のグランド面とを導通させたので、ケースが必要なく小型化が可能であり、又、入力ポート、出力ポート、終端ポートが配線基板上に形成されるので、他の配線パターンと直接接続が可能となり、信号ロスを大幅に軽減できる等の優れた効果を発揮する。
【発明を実施するための最良の形態】
【００１３】
以下、図面を参照しつつ本発明を実施する為の最良の形態を説明する。
【００１４】
図１、図２は、本発明に係る電力分配器２１の分解斜視図を示している。
【００１５】
配線基板２２の上面には配線パターン（図示せず）、及び図４で示される回路信号線７が形成され、該回路信号線７は入力ポート１２、出力ポート１３，１４、終端ポート１５を有している。
【００１６】
前記入力ポート１２、出力ポート１３，１４、終端ポート１５が露出する様に、上基板２３を重合し、導通部材である螺子２４により前記上基板２３と前記配線基板２２とを固着する。
【００１７】
該配線基板２２の下面は全面に良電導性の金属箔例えば銅箔が形成され、前記上基板２３の下面（重合面）は基板の地肌であり、該上基板２３の上面は良電導性の金属箔例えば銅箔が形成されている。前記配線基板２２の下面の銅箔及び前記上基板２３の上面の銅箔はそれぞれグランド面２５，２６となっている。
【００１８】
前記螺子２４は一端が前記上基板２３の上面に接触し、又他端が前記配線基板２２の下面に接触し、前記螺子２４が前記上基板２３のグランド面２６、前記配線基板２２のグランド面２５に接触し、前記螺子２４はアース電流路となっている。
【００１９】
又、前記回路信号線７を囲む様に、前記上基板２３、前記配線基板２２を貫通する導通孔２７，２８を穿設し、該導通孔２７，２８に導通部材であるピン２９を挿通し、該ピン２９の一方の突出端と前記グランド面２５とを半田付け等の所要の手段で接触させ、前記ピン２９の他方の突出端と前記グランド面２６とを半田付け等の所要の手段で接触させ、前記ピン２９により前記グランド面２５と前記グランド面２６とを導通させ、前記回路信号線７の周囲にアース電流路を形成する。
【００２０】
尚、前記導通孔２７，２８をスルーホールとし、前記ピン２９をスプリングピンとすれば、該ピン２９と前記グランド面２５，２６間の半田付けは必要なくなる。而して、前記グランド面２５，２６は前記螺子２４、前記ピン２９によって充分なアース電流路が確保される。
【００２１】
而して、前記回路信号線７は絶縁体である前記配線基板２２、上基板２３に挾持され、更に前記グランド面２５，２６で挾まれたストリップライン（トリプレート）構造を有する電力分配器２１が構成される。
【００２２】
又、前記入力ポート１２、出力ポート１３，１４、終端ポート１５は前記配線基板２２に形成された配線パターンと直接接続可能であるので、変換ロスが極めて小さく、又該配線基板２２に形成した前記回路信号線７に前記上基板２３を重合させる構造であるので、形状は著しく小さくなる。
【００２３】
尚、前記配線基板２２のグランド面２５は、少なくとも前記回路信号線７を覆う部分であってもよい。例えば前記上基板２３の形状に対応する部分がグランド面２５となっていてもよい。同様に、前記上基板２３の上面全部がグランド面２６でなくとも、少なくとも回路信号線７を覆う部分がグランド面２６であればよい。
【図面の簡単な説明】
【００２４】
【図１】本発明の実施の形態を示す分解斜視図である。
【図２】本発明の実施の形態を示す部分側面図である。
【図３】従来例を示す分解斜視図である。
【図４】電力分配器の回路信号線を示す平面図である。
【符号の説明】
【００２５】
７              回路信号線
２１            電力分配器
２２            配線基板
２３            上基板
２４            螺子
２５            グランド面
２６            グランド面
２７            導通孔
２８            導通孔
２９            ピン
【図１】
2005236478.tif 000003
【図２】
2005236478.tif 000004
【図３】
2005236478.tif 000005
【図４】
2005236478.tif 000006